(57)【要約】【課題】フェンス部の破損を防止すること。【解決手段】上面２１ａが商品を載置するための載置面を構成するデッキ本体部２１と、デッキ本体部２１の前端面より離隔する態様で設けられることにより該デッキ本体部２１との間に吸込口２４を形成し、かつ上端部がデッキ本体部２１の上面２１ａよりも上方に突出するフェンス部２２とを備え、ショーケースのケース本体１における収納室２の底部を構成しつつ前後方向に沿ってスライド移動可能なデッキ２０において、デッキ本体部２１の前端部より上方に向けて突出する態様で延在する上延部２６１と、フェンス部２２の上方域を通過する態様で上延部２６１の上端縁部より前方に向けて延在する左右一対の前延部２６２と、前延部２６２間に架設された把持部２６４とを有する把手部材２６を備えている。【選択図】図２
2019072169.tif 000002
【特許請求の範囲】
【請求項１】
上面が商品を載置するための載置面を構成するデッキ本体部と、
前記デッキ本体部の前端面より離隔する態様で設けられることにより該デッキ本体部との間に吸込口を形成し、かつ上端部が前記デッキ本体部の上面よりも上方に突出するフェンス部と
を備え、
ショーケースのケース本体における収納室の底部を構成しつつ前後方向に沿ってスライド移動可能なデッキにおいて、
前記デッキ本体部の前端部より上方に向けて突出する態様で延在する上延部と、
前記フェンス部の上方域を通過する態様で前記上延部の上端縁部より前方に向けて延在する左右一対の前延部と、
前記前延部間に架設された把持部と
を有する把手部材を備えたことを特徴とするデッキ。
【請求項２】
前記把手部材は、前記左右一対の前延部の前端縁部より下方に向けてそれぞれ延在し、前記フェンス部の前方域において互いの延在端部が連結された下延部を有することを特徴とする請求項１に記載のデッキ。
【請求項３】
前記把手部材は、前記デッキ本体部の前端部に略左右全域に亘って形成されていることを特徴とする請求項１又は請求項２に記載のデッキ。
【請求項４】
前記フェンス部は、光透過性を有する平板状部材により構成されることを特徴とする請求項１〜３のいずれか１つに記載のデッキ。
【発明の詳細な説明】
【技術分野】
【０００１】
本発明は、デッキに関し、より詳細には、ショーケースのケース本体における収納室の底部を構成し、かつ前後方向に沿ってスライド移動可能なデッキに関するものである。
【背景技術】
【０００２】
従来、前面に開口が形成されたケース本体の収納室に商品載置棚が上下方向に沿って複数段設けられ、各商品載置棚に商品が載置されて陳列されたオープンショーケースと称されるショーケースが知られている。
【０００３】
このようなショーケースには、収納室の底部を構成するデッキが設けられている。デッキは、上記商品載置棚と同様に商品を載置するもので、前後方向に沿ってスライド移動可能なものである。このデッキの前端部には、ケース本体内であって収納室外となる空気通路に連通する吸込口が設けられている。
【０００４】
かかるショーケースでは、上記空気通路に配設された循環ファンが駆動すると、収納室の内部の空気が吸込口を通じて空気通路を通過し、該空気通路に配設された蒸発器で冷却される。冷却された空気は、収納室に設けられた吹出口を通じて収納室に吹き出される。吹出口を通じて吹き出された空気が再び吸込口に吸い込まれて循環することにより、収納室の前端部にエアカーテンが形成され、商品載置棚に載置された商品が所望の温度に冷却されて保持される。
【０００５】
そして、上記ショーケースでは、エアカーテンを形成する空気の一部が吸込口の前方域に流れて冷気が漏れてしまうことを抑制すべく、デッキにフェンス部が設けられたものが提案されている。フェンス部は、デッキにおける商品を載置するデッキ本体部の前端面より離隔する態様で配設されている。このフェンス部は、デッキ本体部との間に上記吸込口を形成しており、上端部がデッキ本体部の上面より上方に突出している（例えば、特許文献１参照）。
【先行技術文献】
【特許文献】
【０００６】
【特許文献１】特開２０１５−１１６２０２号公報
【発明の概要】
【発明が解決しようとする課題】
【０００７】
ところで、特許文献１に提案されているショーケースでは、デッキにフェンス部が設けられていることにより、デッキを前方にスライド移動させて商品の補充を行ってその補充後にデッキを後方にスライド移動させる場合において作業者等がフェンス部を把持してデッキをスライド移動させることがある。フェンス部は、冷気漏れを抑制するのに必要十分な強度しか有していないのが一般的であり、そのようにフェンス部を把持してデッキをスライド移動させると、フェンス部が破損等してしまう虞れがあった。
【０００８】
本発明は、上記実情に鑑みて、フェンス部の破損を防止することができるデッキを提供することを目的とする。
【課題を解決するための手段】
【０００９】
上記目的を達成するために、本発明に係るデッキは、上面が商品を載置するための載置面を構成するデッキ本体部と、前記デッキ本体部の前端面より離隔する態様で設けられる
ことにより該デッキ本体部との間に吸込口を形成し、かつ上端部が前記デッキ本体部の上面よりも上方に突出するフェンス部とを備え、ショーケースのケース本体における収納室の底部を構成しつつ前後方向に沿ってスライド移動可能なデッキにおいて、前記デッキ本体部の前端部より上方に向けて突出する態様で延在する上延部と、前記フェンス部の上方域を通過する態様で前記上延部の上端縁部より前方に向けて延在する左右一対の前延部と、前記前延部間に架設された把持部とを有する把手部材を備えたことを特徴とする。
【００１０】
また本発明は、上記デッキにおいて、前記把手部材は、前記左右一対の前延部の前端縁部より下方に向けてそれぞれ延在し、前記フェンス部の前方域において互いの延在端部が連結された下延部を有することを特徴とする。
【００１１】
また本発明は、上記デッキにおいて、前記把手部材は、前記デッキ本体部の前端部に略左右全域に亘って形成されていることを特徴とする。
【００１２】
また本発明は、上記デッキにおいて、前記フェンス部は、光透過性を有する平板状部材により構成されることを特徴とする。
【発明の効果】
【００１３】
本発明によれば、把手部材が、デッキ本体部の前端部より上方に向けて突出する態様で延在する上延部と、フェンス部の上方域を通過する態様で上延部の上端縁部より前方に向けて延在する左右一対の前延部と、前延部間に架設された把持部とを有しているので、商品の補充でデッキを前方にスライド移動させる場合や、商品の補充が完了してデッキを後方にスライド移動させる場合に、作業者等にフェンス部ではなく把持部を把持させることができ、フェンス部を把持させることを抑制させることができる。これにより、フェンス部の破損を防止することができるという効果を奏する。
【図面の簡単な説明】
【００１４】
【図１】図１は、本発明の実施の形態であるデッキが適用されたショーケースの内部構造を右方から見た場合を示す断面側面図である。
【図２】図２は、図１に示したデッキの要部を拡大して示す拡大平面図である。
【図３】図３は、図１に示したデッキの要部を拡大して示す拡大断面側面図である。
【発明を実施するための形態】
【００１５】
以下に添付図面を参照して、本発明に係るデッキの好適な実施の形態について詳細に説明する。
【００１６】
図１は、本発明の実施の形態であるデッキが適用されたショーケースの内部構造を右方から見た場合を示す断面側面図である。ここで例示するショーケースは、ケース本体１を備えている。
【００１７】
ケース本体１は、前面に開口（以下、前面開口ともいう）１ａが形成された断熱筐体であり、その内部には収納室２が画成されているとともに、空気循環手段３が設けられている。
【００１８】
収納室２は、上記前面開口１ａを臨む態様で画成された室であり、複数（図示の例では４つ）の商品載置棚１０が上下方向に沿って複数段並べて設けられているとともに、底部にはデッキ２０が設けられている。このデッキ２０は、収納室２の底部を構成するものであり、詳細は後述する。
【００１９】
空気循環手段３は、空気通路４と循環ファン５とを備えて構成されている。空気通路４は、吸込連絡口６から吹出口７に至る空気の通路である。吸込連絡口６は、収納室２の左右方向に延設されており、収納室２の下側前方縁部、すなわちケース本体１の前面開口１ａ近傍の下部に設けられている。吹出口７は、収納室２に空気を吹き出すための開口である。この吹出口７は、収納室２の左右方向に延設されており、収納室２の上側前方縁部、すなわちケース本体１の前面開口１ａ近傍の上部に設けられている。
【００２０】
このような空気通路４は、収納室２の外部であってデッキ２０の下方にある下側ダクト４ａと、収納室２の外部であってその背面側にある背面側ダクト４ｂと、収納室２の外部であってその上方にある上側ダクト４ｃとを互いに連通した態様で構成されている。
【００２１】
循環ファン５は、空気を循環させるものであり、下側ダクト４ａの所定部位に設けられている。本実施の形態においては、循環ファン５は下側ダクト４ａの所定部位に設けられているが、本発明では、循環ファン５の配設位置は特に限定されるものではなく、後述する循環ファン５の機能を発揮することができる個所であればどこに配設しても構わない。
【００２２】
上記空気通路４の背面側ダクト４ｂには、蒸発器８が設けられている。蒸発器８は、図示せぬ圧縮機や凝縮器及び膨張機構とともに冷媒を循環させる冷凍サイクルを構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。これら圧縮機、凝縮器及び膨張機構は、下側ダクト４ａの下方域となるケース本体１の機械室９に設けられている。
【００２３】
上記蒸発器８は、背面側ダクト４ｂを通過する空気と、膨張機構で断熱膨張させた冷媒とを熱交換させるもの、より詳細には、冷媒を蒸発させることにより背面側ダクト４ｂを通過する空気を冷却するものである。この蒸発器８で蒸発した冷媒は、再び圧縮機に戻り圧縮されることになる。
【００２４】
図２及び図３は、それぞれ図１に示したデッキ２０の要部を拡大して示しており、図２は拡大平面図、図３は拡大断面側面図である。ここで例示するデッキ２０は、デッキ本体部２１と、フェンス部２２と、把手部材２６とを備えて構成されている。
【００２５】
デッキ本体部２１は、左右両端部及び後端部が上方に屈曲されるとともに、前端部が下方に屈曲された平板状部材である。このデッキ本体部２１は、上面２１ａが商品を載置する載置面を構成している。かかるデッキ本体部２１は、従来公知のスライド機構３０を介して収納室２に設けられており、ケース本体１に対して前後方向に沿ってスライド移動可能である。
【００２６】
フェンス部２２は、例えばアクリル樹脂等の樹脂材から構成された光透過性を有する平板状部材であり、左右方向が長手方向となるものである。このフェンス部２２は、左右一対の支持部材２３に支持されることでデッキ本体部２１の前端面より離隔して設けられている。より詳細には、フェンス部２２は、上端部がデッキ本体部２１の上面（載置面）２１ａよりも上方に突出する態様で支持部材２３に支持されて設けられている。
【００２７】
かかるフェンス部２２は、これら支持部材２３とともにデッキ本体部２１との間に吸込口２４を形成している。吸込口２４は、デッキ本体部２１が最も後方に配置される場合に、上記吸込連絡口６の上方に位置して該吸込連絡口６に連通している。この吸込口２４は、左右両端部が支持部材２３に載置された平板状の閉塞部材２５により閉塞されている。かかる閉塞部材２５には、複数の長孔形状の吸込孔２５ａが形成されている。つまり、これら複数の吸込孔２５ａが吸込口２４を構成している。
【００２８】
把手部材２６は、例えば金属材料から形成されるもので、上延部２６１、前延部２６２、下延部２６３及び把持部２６４を有して構成されている。上延部２６１は、デッキ本体部２１の前端部の左右両端部分に取り付けられた左右一対のものであり、上方に向けて延在する部分である。前延部２６２は、それぞれ上延部２６１の上端縁部より前方に向けて延在する左右一対のものである。これら前延部２６２は、それぞれがフェンス部２２の上方域を通過している。下延部２６３は、それぞれ前延部２６２の前端縁部より下方に向けて延在する左右一対のものである。これら下延部２６３はフェンス部２２の前方域において互いの延在端部が連結部２６５により連結されている。把持部２６４は、フェンス部２２の後方側となる前延部２６２間に架設されており、左右方向が長手方向となる長尺状部分である。このような把手部材２６は、左右一対の上延部２６１がそれぞれデッキ本体部２１の前端部の左右両端部分に取り付けられていることにより、デッキ本体部２１の前端部において左右全域に亘って形成されている。
【００２９】
このようなデッキ２０は、デッキ本体部２１がケース本体１に対して前後方向に沿ってスライド移動可能であり、フェンス部２２及び把手部材２６は、デッキ本体部２１に取り付けられているので、デッキ２０は、前後方向に沿ってスライド移動可能である。
【００３０】
以上のような構成を有するデッキ２０を備えたショーケースにおいては、デッキ本体部２１が最も後方に配置される場合において循環ファン５が駆動することにより、吸込孔２５ａ（吸込口２４）を通じて収納室２の内部の空気が吸い込まれ、吸い込まれた空気が吸込連絡口６を経て空気通路４を通過して吹出口７に至り、吹出口７に至った空気が該吸込口２４を通じて収納室２の内部に吹き出される。このように収納室２の内部に吹き出された空気が吸込孔２５ａに向けて流れることにより、収納室２の前面開口１ａ近傍にエアカーテンが形成される。これにより商品載置棚１０に載置された商品、並びにデッキ２０に載置された商品を所望の温度に冷却することができる。
【００３１】
そして、デッキ２０においては、把手部材２６を構成する左右一対の前延部２６２がフェンス部２２の上方域を通過する態様で上延部２６１の上端縁部より前方に向けて延在しており、把持部２６４が前延部２６２間に架設されているので、商品の補充でデッキ２０を前方にスライド移動させる場合や、商品の補充が完了してデッキ２０を後方にスライド移動させる場合に、作業者等にフェンス部２２ではなく把持部２６４を把持させることができ、フェンス部２２を把持させることを抑制させることができる。これにより、上記デッキ２０によれば、フェンス部２２の破損を防止することができる。
【００３２】
また、上記デッキ２０によれば、把手部材２６を構成する下延部２６３が前延部２６２の前端縁部より下方に向けてそれぞれ延在し、フェンス部２２の前方域において互いの延在端部が連結部２６５により連結されているので、仮に作業者等がフェンス部２２を把持してデッキ２０を前方にスライド移動させたとしても、フェンス部２２が下延部２６３及び連結部２６５に当接してそれ以上弾性変形することを抑制することにより、フェンス部２２の破損を防止することができる。
【００３３】
以上、本発明の好適な実施の形態について説明したが、本発明はこれに限定されるものではなく、種々の変更を行うことができる。
【００３４】
上述した実施の形態では、把手部材２６を構成する上延部２６１は、左右一対のものであったが、本発明においては、上延部は、デッキ本体部の前端部より上方に向けて突出する態様で延在していれば、１つであってもよい。
【００３５】
上述した実施の形態では、吸込口２４が閉塞部材２５により閉塞されていたが、本発明
においては、吸込口は閉塞部材に閉塞されていなくてもよい。
【００３６】
上述した実施の形態では、把持部２６４は、フェンス部２２の後方側となる前延部２６２間に架設されていたが、本発明においては、把持部は、前延部間に架設されていれば、フェンス部の後方側でなくても構わない。つまり、把持部は、フェンス部の直上域となる前延部間に架設されていてもよいし、フェンス部の前方側となる前延部間に架設されていてもよい。
【００３７】
上述した実施の形態では、把手部材２６は、デッキ本体部２１の前端部において左右全域に亘って形成されていたが、本発明においては、把手部材は、デッキ本体部の前端部に形成されていれば左右全域に亘って形成されていなくてもよい。また本発明においては、把手部材は、単数である必要がなく、デッキ本体部の左右方向に沿って複数設けられていてもよい。
【符号の説明】
【００３８】
１  ケース本体
１ａ  前面開口
２  収納室
１０  商品載置棚
２０  デッキ
２１  デッキ本体部
２１ａ  上面
２２  フェンス部
２３  支持部材
２４  吸込口
２５  閉塞部材
２５ａ  吸込孔
２６  把手部材
２６１  上延部
２６２  前延部
２６３  下延部
２６４  把持部
２６５  連結部
【図１】
2019072169.tif 000003
【図２】
2019072169.tif 000004
【図３】
2019072169.tif 000005